(57)【要約】【課題】簡易な構成で信頼性を向上させることができる蓄電装置を提供すること。【解決手段】蓄電装置１は、１以上の蓄電素子４０を有する蓄電モジュール４００と、蓄電モジュール４００を収容する筐体１０とを備える。筐体１０は、筐体１０の一部が内側に膨出することで形成された凸部２１０を有し、凸部２１０は、蓄電モジュール４００のケース側壁部４１２に上方から当接する位置に配置されている。【選択図】図５
2019083145.tif 000002
【特許請求の範囲】
【請求項１】
１以上の蓄電素子を有する蓄電モジュールと、
前記蓄電モジュールを収容する筐体とを備え、
前記筐体は、前記筐体の一部が内側に膨出することで形成された凸部を有し、
前記凸部は、前記蓄電モジュールの側壁部に上方から当接する位置に配置されている
蓄電装置。
【請求項２】
前記筐体には、前記蓄電モジュールを含む複数の蓄電モジュールが収容されており、
前記凸部は、前記複数の蓄電モジュールのうちの、並んで配置される２つの蓄電モジュールにおける互いに隣り合う２つの側壁部に上方から当接する位置に配置されている
請求項１記載の蓄電装置。
【請求項３】
前記２つの蓄電モジュールは、第一方向に並んで配置された第一蓄電モジュール及び第二蓄電モジュールであり、
前記複数の蓄電モジュールはさらに、
前記第一蓄電モジュール及び前記第二蓄電モジュールのうちの少なくとも一方と、前記第一方向と直交する第二方向に並ぶ第三蓄電モジュールを含み、
前記凸部は、前記第一蓄電モジュール及び前記第二蓄電モジュールにおける互いに隣り合う側壁部に上方から当接する位置であって、かつ、第一蓄電モジュールまたは前記第二蓄電モジュール、及び、前記第三蓄電モジュールにおける互いに隣り合う側壁部に上方から当接する位置に配置されている
請求項２記載の蓄電装置。
【請求項４】
前記筐体は、前記蓄電モジュールを収容する本体部と、本体部の開口を塞ぐ蓋体とを有し、
前記凸部は、前記蓋体に形成されている
請求項１〜３のいずれか一項記載の蓄電装置。
【請求項５】
前記凸部は第一凸部であり、
前記筐体はさらに、前記筐体の一部が内側に膨出することで形成された第二凸部であって、第一凸部が当接している前記蓄電モジュールの、前記側壁部とは異なる他の側壁部に上方から当接する位置に配置された第二凸部を有する
請求項１〜４のいずれか一項に記載の蓄電装置。
【請求項６】
前記筐体はさらに、前記筐体の壁部の一部を切り起こして設けられた折曲片部であって、前記蓄電モジュールの側面に当接する折曲片部を有する
請求項１〜５のいずれか一項に記載の蓄電装置。
【請求項７】
前記筐体には、前記蓄電モジュールを含む１以上の蓄電モジュールが収容されており、
前記１以上の蓄電モジュールのうちの前記折曲片部から最も遠い蓄電モジュールの、前記折曲片部から遠い側の側面が、前記筐体の、前記壁部と交差する他の壁部に当接している
請求項６記載の蓄電装置。
【請求項８】
前記折曲片部は、前記蓄電モジュールと電気的に接続された配線を保持する配線保持部を有する
請求項６または７に記載の蓄電装置。
【請求項９】
前記折曲片部は、前記筐体の底面を形成する底壁部、及び、前記筐体の前記底壁部と対向する上壁部の少なくとも一方に設けられている
請求項６〜８のいずれか一項に記載の蓄電装置。
【発明の詳細な説明】
【技術分野】
【０００１】
本発明は、蓄電モジュールと蓄電モジュールを収容する筐体とを備える蓄電装置に関する。
【背景技術】
【０００２】
従来、蓄電モジュールと蓄電モジュールを収容する筐体とを備える蓄電装置が知られている。例えば特許文献１には、電池モジュールと、電池モジュールが上面に載置される収容部を含むベースプレートと、ブラケットを介してベースプレートと結合される上部カバープレートとを備える電池モジュールアセンブリーが開示されている。
【先行技術文献】
【特許文献】
【０００３】
【特許文献１】特表２０１６−５０８６５９号公報
【発明の概要】
【発明が解決しようとする課題】
【０００４】
蓄電モジュールを収容する筐体を備える蓄電装置では、筐体内における蓄電モジュールの位置を固定することは、例えば蓄電装置の信頼性の向上の観点から重要である。この点に関し、上記従来の電池モジュールアセンブリーでは、ベースプレートの収容部が、平面視における電池モジュールの中央を含む所定の領域に接触することで、電池モジュールを支持するよう構成されている。
【０００５】
しかしながら、一般に、蓄電モジュールの外面の中央部分は、比較的に広い面積であるため、押さえやすい一方で、構造上、撓みやすい部分である。そのため、蓄電モジュールの位置規制のために押さえる部分としては適切であるとは言い難い。また、蓄電モジュールの外面の中央部分を押さえた場合、蓄電モジュール内の蓄電素子または回路基板等に対し不必要な押圧力を付与する可能性もある。
【０００６】
また、例えば筐体内に、蓄電モジュールに当接する部品を取り付けることで、適切な態様で蓄電モジュールの位置規制を行うことも考えられる。しかしこの場合、例えば、部品点数の増加、及び、蓄電装置の構造の複雑化等の別の問題が生じ得る。
【０００７】
本発明は、本願発明者らが上記課題に新たに着目することによってなされたものであり、簡易な構成で信頼性を向上させることができる蓄電装置を提供することを目的とする。
【課題を解決するための手段】
【０００８】
上記目的を達成するために、本発明の一態様に係る蓄電装置は、１以上の蓄電素子を有する蓄電モジュールと、前記蓄電モジュールを収容する筐体とを備え、前記筐体は、前記筐体の一部が内側に膨出することで形成された凸部を有し、前記凸部は、前記蓄電モジュールの側壁部に上方から当接する位置に配置されている。
【０００９】
この構成によれば、筐体に設けられた凸部は、蓄電モジュールにおいて、押された場合に比較的に撓みにくい位置に当接する。そのため、凸部が蓄電モジュールに当接することにより生じる蓄電モジュールに対する押圧力は、蓄電モジュールの位置規制のための力として効率よく作用する。つまり、本態様に係る凸部によれば、例えば上面視における蓄電モジュールの中央部分を押さえる場合と比較すると、少なくとも上下方向における位置規制がより確実になされる。また、凸部が蓄電モジュールの外面を撓ませる可能性が低いため、例えば、蓄電モジュール内の蓄電素子等の要素に不要な押圧力が付与される可能性も低い。さらに、本態様に係る凸部は、例えば金属製の筐体の一部をプレス加工することで形成することができるため、蓄電モジュールの位置規制に適した位置、形状、または大きさに形成することが容易である。従って、本態様に係る蓄電装置は、簡易な構成で信頼性を向上させることができる蓄電装置である。
【００１０】
また、本発明の一態様に係る蓄電装置において、前記筐体には、前記蓄電モジュールを含む複数の蓄電モジュールが収容されており、前記凸部は、前記複数の蓄電モジュールのうちの、並んで配置される２つの蓄電モジュールにおける互いに隣り合う２つの側壁部に上方から当接する位置に配置されているとしてもよい。
【００１１】
この構成によれば、筐体に設けられた１つの凸部で２つの蓄電モジュールを上から押さえることができる。つまり、簡易な構成で、２つの蓄電モジュールの上下方向の位置規制を行うことができる。また、２つの蓄電モジュールに対応して筐体に設ける凸部の数が１つでよいため、例えば蓄電装置の製造効率の向上、または、製造コストの抑制が図られる。
【００１２】
また、本発明の一態様に係る蓄電装置において、前記２つの蓄電モジュールは、第一方向に並んで配置された第一蓄電モジュール及び第二蓄電モジュールであり、前記複数の蓄電モジュールはさらに、前記第一蓄電モジュール及び前記第二蓄電モジュールのうちの少なくとも一方と、前記第一方向と直交する第二方向に並ぶ第三蓄電モジュールを含み、前記凸部は、前記第一蓄電モジュール及び前記第二蓄電モジュールにおける互いに隣り合う側壁部に上方から当接する位置であって、かつ、第一蓄電モジュールまたは前記第二蓄電モジュール、及び、前記第三蓄電モジュールにおける互いに隣り合う側壁部に上方から当接する位置に配置されている、としてもよい。
【００１３】
この構成によれば、筐体に設けられた１つの凸部で、例えばＬ字状またはＴ字状に並べられた３つの蓄電モジュール（第一〜第三蓄電モジュール）を上から押さえることができる。つまり、簡易な構成で、３つの蓄電モジュールの上下方向の位置規制を行うことができる。また、３つの蓄電モジュールに対応して筐体に設ける凸部の数が１つでよいため、例えば蓄電装置の製造効率の向上、または、製造コストの抑制が図られる。
【００１４】
また、本発明の一態様に係る蓄電装置において、前記筐体は、前記蓄電モジュールを収容する本体部と、本体部の開口を塞ぐ蓋体とを有し、前記凸部は、前記蓋体に形成されている、としてもよい。
【００１５】
この構成によれば、例えば、本体部の開口を蓋体で閉じる際に、凸部が１以上の蓄電モジュールを押圧した状態で蓋体を本体部に固定すること（ネジ等による締結または溶接など）ができる。そのため、例えば、１以上の蓄電モジュールが凸部によってしっかりと押さえられた状態の形成が容易である。
【００１６】
また、本発明の一態様に係る蓄電装置において、前記凸部は第一凸部であり、前記筐体はさらに、前記筐体の一部が内側に膨出することで形成された第二凸部であって、第一凸部が当接している前記蓄電モジュールの、前記側壁部とは異なる他の側壁部に上方から当接する位置に配置された第二凸部を有する、としてもよい。
【００１７】
この構成によれば、１つの蓄電モジュールに対し少なくとも２つの凸部が当接する。また、２つの凸部のそれぞれは、当該蓄電モジュールにおける互いに異なる側壁部に上方から当接するため、例えば、当該蓄電モジュールをバランスよく押さえることが可能である。
【００１８】
また、本発明の一態様に係る蓄電装置において、前記筐体はさらに、前記筐体の壁部の一部を切り起こして設けられた折曲片部であって、前記蓄電モジュールの側面に当接する折曲片部を有する、としてもよい。
【００１９】
この構成によれば、例えば、筐体の壁部の一部を切り起こすという簡易な構成で、蓄電モジュールを側方から押さえることができる。つまり、折曲片部は、凸部とともに１以上の蓄電モジュールの位置規制のための部位として機能することができる。
【００２０】
また、本発明の一態様に係る蓄電装置において、前記筐体には、前記蓄電モジュールを含む１以上の蓄電モジュールが収容されており、前記１以上の蓄電モジュールのうちの前記折曲片部から最も遠い蓄電モジュールの、前記折曲片部から遠い側の側面が、前記筐体の、前記壁部と交差する他の壁部に当接している、としてもよい。
【００２１】
この構成によれば、例えば１以上の蓄電モジュールを、他の壁部の方向に押さえることができるため、例えば、他の壁部によって形成される筐体の内側面を位置規制に利用できる。つまり、１以上の蓄電モジュールの横方向の位置規制の役割の一部を、筐体の内側面に担わせることができるため、当該位置規制のための折曲片部の数を少なくすることができる。このことは、例えば、蓄電装置の製造効率の向上、または、筐体の強度の低下抑制等の観点から有利である。
【００２２】
また、本発明の一態様に係る蓄電装置において、前記折曲片部は、前記蓄電モジュールと電気的に接続された配線を保持する配線保持部を有する、としてもよい。
【００２３】
この構成によれば、折曲片部が有する配線保持部によって配線が保持されるため、配線を保持するための他の部材が不要である。つまり、蓄電モジュールの位置規制のための部材に、配線を保持する役割を担わせることができ、これにより、例えば、蓄電装置の構成の簡素化が図られる。
【００２４】
また、本発明の一態様に係る蓄電装置において、前記折曲片部は、前記筐体の底面を形成する底壁部、及び、前記筐体の前記底壁部と対向する上壁部の少なくとも一方に設けられている、としてもよい。
【００２５】
この構成によれば、折曲片部は、例えば、横並びの２つの蓄電モジュールの互いに対向する端部を側方から押さえることができる。また、折曲片部は、例えば、１つの蓄電モジュールの上端及び下端の中央部を側方から押さえることができる。つまり、折曲片部は、１以上の蓄電素子をバランスよく押さえることができる。
【発明の効果】
【００２６】
本発明によれば、簡易な構成で信頼性を向上させることができる蓄電装置を提供することができる。
【図面の簡単な説明】
【００２７】
【図１】実施の形態に係る蓄電装置の外観を示す斜視図である。
【図２】実施の形態に係る蓄電装置の分解斜視図である。
【図３】実施の形態に係る蓄電モジュールの分解斜視図である。
【図４】実施の形態に係る筐体が有する凸部の配置位置の例を示す斜視図である。
【図５】実施の形態に係る凸部と蓄電モジュールとの当接位置を示す第１の断面図である。
【図６】実施の形態に係る凸部と蓄電モジュールとの当接位置を示す第２の断面図である。
【図７】実施の形態に係る凸部と２つの蓄電モジュールとの当接位置を示す断面図である。
【図８】実施の形態に係る筐体が有する折曲片部の配置位置の例を示す斜視図である。
【図９】実施の形態に係る折曲片部と蓄電モジュールとの当接位置を示す断面図である。
【図１０】実施の形態に係る折曲片部の形状の一例を示す斜視図である。
【図１１】実施の形態の変形例１に係る筐体が備える凸部の配置位置の一例を示す平面図である。
【図１２】実施の形態の変形例１に係る筐体が備える複数の凸部の配置位置の一例を示す平面図である。
【図１３】実施の形態の変形例２に係る筐体が備える凸部の配置位置の一例を示す平面図である。
【発明を実施するための形態】
【００２８】
以下、図面を参照しながら、本発明の実施の形態及びその変形例に係る蓄電装置について説明する。なお、以下で説明する実施の形態及びその変形例は、いずれも包括的または具体的な例を示すものである。以下の実施の形態及びその変形例で示される数値、形状、材料、構成要素、構成要素の配置位置及び接続形態、製造工程、製造工程の順序などは、一例であり、本発明を限定する主旨ではない。また、以下の実施の形態及びその変形例における構成要素のうち、最上位概念を示す独立請求項に記載されていない構成要素については、任意の構成要素として説明される。また、各図は、模式図であり、寸法等は必ずしも厳密に図示したものではない。
【００２９】
また、以下の説明及び図面中において、蓄電素子が有する一対の電極端子の並び方向、または、容器の短側面の対向方向をＸ軸方向と定義する。また、容器の長側面の対向方向、容器の短側面の短手方向、容器の厚さ方向、または、蓄電モジュールにおける蓄電素子の並び方向をＹ軸方向と定義する。また、蓄電装置の筐体における本体部と蓋体との並び方向、蓄電素子の容器の短側面の長手方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向及びＺ軸方向についても同様である。
【００３０】
（実施の形態）
［１．蓄電素子の全般的な説明］
まず、図１及び図２を用いて、本実施の形態における蓄電装置１の全般的な説明を行う。図１は、実施の形態に係る蓄電装置１の外観を示す斜視図である。図２は、実施の形態に係る蓄電装置１の分解斜視図である。
【００３１】
蓄電装置１は、外部からの電気を充電し、また外部へ電気を放電することができる装置である。例えば、蓄電装置１は、電力貯蔵用途または電源用途などに使用される。具体的には、本実施の形態に係る蓄電装置１は、据置用の電源装置として好適である。
【００３２】
図１及び図２に示すように、蓄電装置１は、筐体１０と、筐体１０に収容された蓄電モジュール４００とを備える。本実施の形態では、筐体１０に４つの蓄電モジュール４００が収容されているが、筐体１０には、少なくとも１つの蓄電モジュール４００が収容されていればよい。蓄電モジュール４００の構成については、図３を用いて後述する。
【００３３】
筐体１０は、複数の蓄電モジュール４００を収容可能な空間を形成する本体部１００と、本体部１００の上部開口１００ａを塞ぐ蓋体２００とを有する。本体部１００は、複数の蓄電モジュール４００が載置可能な底面を形成する底壁部１０１と、底壁部１０１の端縁から立設された、横壁部１０２及び１０４、後壁部１０３、並び前壁部１０５を有する。なお、蓋体２００、横壁部１０２及び１０４、後壁部１０３、並びに前壁部１０５のそれぞれは、筐体が有する壁部の一例である。また、図２では、前壁部１０５が、本体部１００から分離された状態で図示されている。また、本実施の形態では、後壁部１０３に、複数の通気孔１０７が設けられている。複数の通気孔１０７は、通常使用時における筐体１０の内部と外部との間の通気用の孔として機能する他、例えば、蓄電モジュール４００が有する蓄電素子４０（後述する図３参照）からガスが流出した場合に、そのガスを筐体１０の外部に排出する排出孔としても機能する。
【００３４】
また、図２に示すように、蓄電装置１は、筐体１０の内方に、計測基板８１と、主回路基板８２とを備えている。なお、図２では、蓄電モジュール４００と計測基板８１または主回路基板８２とを接続する配線等の構成要素の図示は省略されている。
【００３５】
蓋体２００は、筐体１０の上壁部を構成する部材であり、本体部１００の上部開口１００ａを塞ぐ矩形状かつ板状の部材である。つまり、本体部１００の内方に、１以上の蓄電モジュール４００、計測基板８１及び主回路基板８２等が配置された状態で、本体部１００の上部開口１００ａが蓋体２００で塞がれる。また、その状態で、例えば複数のネジによって蓋体２００が本体部１００に固定される。本実施の形態では、筐体１０は、例えば、アルミニウム合金または鉄等の金属材料により構成されている。
【００３６】
なお、本実施の形態において、筐体１０は、筐体１０の内方に膨出する凸部２１０と、折曲片部１２０及び２２０とを有しており、凸部２１０、折曲片部１２０及び２２０のそれぞれにより、１以上の蓄電モジュール４００の位置が規制されている。凸部２１０、折曲片部１２０及び２２０の詳細については、図４〜図１０を用いて後述する。
【００３７】
計測基板８１及び主回路基板８２は、筐体１０に収容された１以上の蓄電モジュール４００と、筐体１０の壁部との間に配置され、かつ、少なくとも１つの蓄電モジュール４００と電気的に接続された基板である。計測基板８１は、１以上の蓄電モジュール４００の状態を計測し、主回路基板８２は、例えば計測基板８１の計測結果を用いて、１以上の蓄電モジュール４００を制御する。具体的には、主回路基板８２は、大電流が流れる主回路部品が実装された基板であり、筐体１０の横壁部１０４の内面に固定される。計測基板８１は、小電流が流れる周辺回路部品が実装された基板であり、筐体１０の前壁部１０５の内面に固定される。なお、図２に示すように、計測基板８１は、外部の信号線が接続されるコネクタ（コネクタ８１ａ等）を有しており、そのコネクタが前壁部１０５に設けられた孔（コネクタ孔１０５ａ等）から露出するように、筐体１０に配置されている。また、図２に示すように、前壁部１０５には、蓄電装置１が外部の装置との間で電力の充放電を行うための外部端子１０６が設けられている。
【００３８】
［２．蓄電モジュール］
次に、図３を用いて、本実施の形態に係る蓄電モジュール４００の構成概要を説明する。図３は、実施の形態に係る蓄電モジュール４００の分解斜視図である。なお、図３では、蓄電素子４０間を接続するバスバー等の図示は省略されている。また、蓄電モジュール４００は、例えば蓄電素子４０とケース蓋部４２０との間の配置される中蓋などの他の部材さらに備えてもよい。
【００３９】
図３に示すように、本実施の形態に係る蓄電モジュール４００は、１以上の蓄電素子４０と、１以上の蓄電素子４０を収容するモジュールケース４１０とを有する。本実施の形態では、モジュールケース４１０内において、４つの蓄電素子４０がＹ軸方向に並んで配置されている。
【００４０】
モジュールケース４１０は、１以上の蓄電素子４０が収容可能なケース本体４１１と、ケース本体４１１の上部開口を塞ぐケース蓋部４２０とを有する。モジュールケース４１０は、例えば、ポリプロピレン（ＰＰ）、ポリカーボネート（ＰＣ）、ポリブチレンテレフタレート（ＰＢＴ）またはＡＢＳ樹脂等の樹脂材料により構成されている。
【００４１】
ケース本体４１１の内方に、１以上の蓄電素子４０及び図示しないバスバー等の部材を配置した後に、ケース本体４１１の上部開口をケース蓋部４２０で塞ぎ、その状態で、ケース蓋部４２０がケース本体４１１に固定される。固定の手法としては、ネジ等による締結、溶着、または接着等の各種の手法が採用され得る。
【００４２】
蓄電素子４０は、電気を充電し、また、電気を放電することのできる二次電池（単電池）であり、より具体的には、リチウムイオン二次電池などの非水電解質二次電池である。なお、蓄電素子４０は、非水電解質二次電池には限定されず、非水電解質二次電池以外の二次電池であってもよいし、キャパシタであってもよい。蓄電素子４０は、使用者が充電をしなくても蓄えられている電気を使用できる一次電池であってもよい。また、蓄電素子４０は、固体電解質を用いた電池であってもよい。
【００４３】
蓄電素子４０は、容器に配置された正極端子４３及び負極端子４４を備える。蓄電素子４０の容器の内方には、電極体、正極集電体、負極集電体及び電解液等が配置されているが、詳細な説明は省略する。
【００４４】
本実施の形態では、モジュールケース４１０内に収容された４つの蓄電素子４０は、長側面がＹ軸方向に直交する姿勢でＹ軸方向に並べられ、図示しないバスバーによって、例えば直列に接続されている。また、本実施の形態では、例えば図２に示すように、筐体１０内に４つの蓄電モジュール４００が並べられており、これら４つの蓄電モジュール４００は、図示しないバスバーで直列に接続される。
【００４５】
ここで、４つの蓄電モジュール４００のそれぞれは、最大で４つの蓄電素子４０を備えることができる。そのため、本実施の形態の蓄電装置１では、最大で１６個の蓄電素子４０を直列に接続することができる。なお、各蓄電モジュール４００が有する蓄電素子４０の個数は、例えば蓄電装置１に要求される蓄電容量または出力電圧等に応じて適宜変更されてもよい。また、上記説明された蓄電素子４０の接続形態は一例であり、例えば、蓄電モジュール４００内において、並列に接続された２個の蓄電素子４０を二組形成し、これら二組を直列に接続してもよい。
【００４６】
なお、図３等において、ケース本体４１１は上部の開口以外に開口が存在しない形状を有しているが、例えば、ケース本体４１１の側壁に１以上の開口（貫通孔）が形成されていてもよい。これにより、例えば、モジュールケース４１０内の蓄電素子４０からの放熱が効率よく行われる。
【００４７】
このように構成された蓄電モジュール４００は、筐体１０の内部において、筐体１０一部によって位置が規制されている。具体的には、筐体１０は、蓄電モジュール４００の位置を規制する要素として、蓄電モジュール４００に上方から当接する凸部２１０と、蓄電モジュール４００に側方から当接する折曲片部１２０及び２２０とを有している。以下、筐体１０が有する凸部２１０等の要素について、図４〜図１０を用いて説明する。
【００４８】
［３．筐体の凸部］
まず、図４〜図７を用いて、本実施の形態に係る筐体１０が有する凸部２１０について説明する。図４は、実施の形態に係る筐体１０が有する凸部２１０の配置位置の例を示す斜視図である。なお、図４では、複数の凸部２１０のそれぞれを区別するために、複数の凸部２１０のそれぞれに互いに異なる符号（２１０ａ〜２１０ｄ）を付している。例えば、図４における凸部２１０ａは、図２におけるＹ軸方向マイナス側の凸部２１０である。
【００４９】
また、複数の蓄電モジュール４００のそれぞれを区別するために、複数の蓄電モジュール４００のそれぞれに互いに異なる符号（４００ａ〜４００ｄ）を付している。また、筐体１０が有する複数の凸部２１０及び折曲片部２２０の位置を明確にするために、蓋体２００は、傾けて図示されている。これらの事項については後述する図８についても適用される。さらに、図４では、凸部２１０ａ〜２１０ｄそれぞれの、複数の蓄電モジュール４００に対する当接範囲が、点線の矩形で表されている。例えば、図４における当接範囲４３０は、凸部２１０ａが、蓄電モジュール４００ａ及び４００ｂに当接する範囲を示している。
【００５０】
図５は、実施の形態に係る凸部２１０と蓄電モジュール４００との当接位置を示す第１の断面図であり、図６は、実施の形態に係る凸部２１０と蓄電モジュール４００との当接位置を示す第２の断面図である。具体的には、図５では、図１のＶ−Ｖ線を通るＸＺ平面における筐体１０及び１つの蓄電モジュール４００の断面が簡易的に図示されている。つまり、図５では、図４に示す当接範囲４３０を通過し、かつ、図２におけるＹ軸方向マイナス側の凸部２１０を通過するＸＺ平面に平行な断面が図示されている。また、図６では、図１のＶＩ−ＶＩ線を通るＹＺ平面における筐体１０の断面が簡易的に図示されている。つまり、図６では、図４に示す当接範囲４３０を通過し、かつ、図２におけるＹ軸方向マイナス側の凸部２１０を通過するＹＺ平面に平行な断面が図示されている。なお、図５及び図６では、１つの蓄電モジュール４００（図４における蓄電モジュール４００ａ）に着目し、その蓄電モジュール４００と、その蓄電モジュール４００に当接する凸部２１０（図４における凸部２１０ａ）との位置関係が表されている。
【００５１】
図４〜図６に示すように、本実施の形態において、筐体１０が備える蓋体２００は、蓄電モジュール４００に向けて突出する凸部２１０を有している。凸部２１０は、例えば、蓋体２００の基材である金属板に対するプレス加工によって形成されている。つまり、蓋体２００における凸部２１０の突出方向とは反対側には、凸部２１０に対応した形状の凹部（窪み）が形成されている。また、１つの凸部２１０と、１つの蓄電モジュール４００との対応関係に着目すると、凸部２１０は、蓄電モジュール４００のケース側壁部４１２に上方から当接している。なお、蓄電モジュール４００のケース側壁部４１２は、蓄電モジュールの側壁部の一例であり、本実施の形態では、蓄電モジュール４００が有するモジュールケース４１０における側面を形成する部分である。具体的には、図５及び図６に示すように、ケース側壁部４１２は、ケース本体４１１の上下方向に延設された側壁と、当該側壁の上部に位置するケース蓋部４２０の端部とで形成されている。
【００５２】
すなわち、本実施の形態に係る蓄電装置１は、１以上の蓄電素子４０を有する蓄電モジュール４００と、蓄電モジュール４００を収容する筐体１０とを備える。筐体１０は、筐体１０の一部が内側に膨出することで形成された凸部２１０を有し、凸部２１０は、蓄電モジュール４００のケース側壁部４１２に上方から当接する位置に配置されている。
【００５３】
このように、本実施の形態において、筐体１０に設けられた凸部２１０は、モジュールケース４１０の天面（ケース蓋部４２０の上面）における、ケース本体４１１による下支えがある部分に当接する。つまり、凸部２１０は、蓄電モジュール４００における、押した場合に比較的に撓みにくい位置に当接する。そのため、凸部２１０が蓄電モジュール４００に当接することにより生じる蓄電モジュール４００に対する押圧力は、蓄電モジュール４００の位置規制のための力として効率よく作用する。つまり、本実施の形態に係る凸部２１０によれば、例えば上面視における蓄電モジュール４００の中央部分を押さえる場合と比較すると、少なくとも上下方向における位置規制がより確実になされる。これにより、例えば、蓄電モジュール４００が上下に振動することによる、蓄電素子４０の劣化が抑制される。つまり、仮に凸部２１０がないとした場合、蓄電モジュール４００は上下方向における位置規制がなされないために、例えば、蓄電装置１の運搬時または使用時において筐体１０内において、上下方向に振動することも考えられる。この場合、蓄電モジュール４００内の蓄電素子４０も上下方向に振動するため、例えば、蓄電素子４０内の電極体と集電体との接合部分の劣化等の不具合が生じ得る。この点に関し、本実施の形態に係る蓄電装置１では、凸部２１０が蓄電モジュール４００の撓みにくい部分に当接するため、蓄電モジュール４００の上下方向の移動が効果的に抑制され、その結果、例えば蓄電モジュール４００内の蓄電素子４０の劣化が抑制される。
【００５４】
また、凸部２１０が蓄電モジュール４００の外面を撓ませる可能性が低いため、例えば、蓄電モジュール４００内の蓄電素子４０等の要素に不要な押圧力が付与される可能性も低い。さらに、本態様に係る凸部２１０は、金属製の筐体１０の一部をプレス加工することで形成することができる。そのため、凸部２１０を、蓄電モジュール４００の位置規制に適した位置、形状、または大きさに形成することが容易である。従って、本態様に係る蓄電装置１は、簡易な構成で信頼性が向上された蓄電装置である。
【００５５】
なお、「上方から当接」における「上方」は、筐体１０における、蓄電モジュール４００を挟んで、蓄電モジュール４００の載置面（底壁部１０１）とは反対側の方向を指している。言い換えると、筐体１０において底壁部１０１から蓋体２００に向かう方向が「上方」である。つまり、「上方から当接」における「上方」は、鉛直上方と一致する場合もあり、一致しない場合もある。
【００５６】
また、本実施の形態において、凸部２１０の配置位置については、例えば、凸部２１０は、蓄電モジュール４００のモジュールケース４１０の側壁を上から押さえる位置に配置されている、と表現することもできる。より詳細には、本実施の形態では、凸部２１０は、ケース蓋部４２０を介してモジュールケース４１０の側壁を上から押さえる位置に配置されている。
【００５７】
また、本実施の形態では、上面視における蓄電モジュール４００のケース側壁部４１２の位置は、上面視における蓄電モジュール４００の周縁部に相当する。従って、例えば、凸部２１０は、上面視における蓄電モジュール４００の周縁部の上端に上方から当接する位置に配置されている、表現することもできる。
【００５８】
ここで、筐体１０に収容された蓄電モジュール４００を上方から押さえるために、筐体１０とは別体の部材（例えばゴム等の樹脂部材）を、蓄電モジュール４００と筐体１０の内面との間に挟み込むことも考えられる。しかし、この場合、例えば、蓄電装置１を構成する部品の点数の増加の問題が生じ、また、樹脂部材の経年劣化等の問題も生じ得る。この点に関し、本実施の形態に係る凸部２１０は、筐体１０に一体に形成された部位であるため、蓄電装置１が凸部２１０を備えることによる、部品点数の増加の問題は生じない。また、金属製である筐体１０の一部である凸部２１０は、樹脂部材と比較すると経年劣化等の問題が生じ難い。
【００５９】
また、蓄電モジュール４００の筐体１０における位置規制のために、例えば、モジュールケース４１０を、筐体１０の底壁部１０１にネジで固定することも考えられる。しかし、樹脂製のモジュールケース４１０にネジ孔を有する取付部を設けた場合、例えば、ネジの径の大きさ、または取付部の厚み等によっては、取付部における応力集中の問題が生じ得る。この点に関し、本実施の形態に係る凸部２１０は、原則として面で蓄電モジュール４００を押すように構成されているため、凸部２１０が樹脂製のモジュールケース４１０に当接することに起因する応力集中の問題は生じ難い。
【００６０】
本実施の形態では、凸部２１０は、図５及び図６に示すように、１以上の蓄電モジュール４００と当接する当接面部２１１と、当接面部２１１の周囲に設けられた周壁部２１２とを有する。周壁部２１２は、蓋体２００から下方に立設された壁部であり、下方から押された場合に、当接面部２１１よりも撓みにくい（変形しにくい）部分である。また、当接面部２１１を囲む周壁部２１２の、蓄電モジュール４００のケース側壁部４１２に対する押圧箇所は、例えば図４及び図６から分かるように２か所（図６におけるＰａ、Ｐｂ）存在する。つまり、凸部２１０は、当接面部２１１による面接触により蓄電モジュール４００の天面を安定的に押さえることができ、かつ、周壁部２１２によって蓄電モジュール４００のケース側壁部４１２を２か所でしっかりと押さえることができる。
【００６１】
また、本実施の形態では、図４に示すように、４つの凸部２１０ａ〜２１０ｄのそれぞれは、２つの蓄電モジュール４００に当接する位置に配置されている。このことを、図７を用いて説明する。図７は、実施の形態に係る凸部２１０ａと、２つの蓄電モジュール４００ａ及び４００ｂとの当接位置を示す断面図である。なお、断面の位置は図５に準じている。
【００６２】
４つの凸部２１０ａ〜２１０ｄのうち、例えば、凸部２１０ａに着目すると、凸部２１０ａは、図７に示すように、蓄電モジュール４００ａ及び蓄電モジュール４００ｂの互いに隣り合う部分に上方から当接する。つまり、凸部２１０ａは、蓄電モジュール４００ａのケース側壁部４１２と、そのケース側壁部４１２に対向する、蓄電モジュール４００ｂのケース側壁部４１２に上方から当接する。
【００６３】
このように、本実施の形態では、筐体１０には、複数の蓄電モジュール４００が収容されており、凸部２１０ａは、複数の蓄電モジュール４００のうちの、並んで配置される２つの蓄電モジュール４００ａ及び４００ｂにおける互いに隣り合う２つのケース側壁部４１２に上方から当接する位置に配置されている。なお、本実施の形態では、他の３つの凸部２１０ｂ〜２１０ｄのそれぞれも同様に、並んで配置される２つの蓄電モジュール４００における互いに隣り合う２つのケース側壁部４１２に上方から当接する位置に配置されている。
【００６４】
この構成によれば、筐体１０に設けられた１つの凸部２１０で２つの蓄電モジュール４００を上から押さえることができる。つまり、簡易な構成で、２つの蓄電モジュール４００の上下方向の位置規制を行うことができる。また、２つの蓄電モジュール４００に対応して筐体に設ける凸部の数が１つでよいため、例えば蓄電装置１の製造効率の向上、または、製造コストの抑制が図られる。
【００６５】
また、本実施の形態において、蓄電モジュール４００に上方から当接する凸部２１０は、筐体１０の一部を構成する蓋体２００に設けられている。つまり、筐体１０は、蓄電モジュール４００を収容する本体部１００（図２参照）と、本体部１００の上部開口１００ａを塞ぐ蓋体２００とを有し、凸部２１０は、蓋体２００に形成されている。
【００６６】
この構成によれば、例えば、本体部１００の上部開口１００ａを蓋体２００で閉じる際に、凸部２１０が１以上の蓄電モジュール４００を押圧した状態で蓋体２００を本体部１００に固定すること（ネジ等による締結または溶接など）ができる。つまり、本体部１００の上部開口１００ａを蓋体２００で閉じる場合、蓋体２００に設けられた凸部２１０は、本体部１００に収容された蓄電モジュール４００に、上方から近づけられる。そのため、例えば凸部２１０の高さ（蓋体２００の内面からのＺ軸方向の長さ）が比較的に大きい場合であっても、凸部２１０を、１以上の蓄電モジュール４００に押し当てながら、蓋体２００を本体部１００に固定することができる。従って、本実施の形態に係る蓄電装置１では、例えば、１以上の蓄電モジュール４００が凸部２１０によってしっかりと押さえられた状態の形成が容易である。
【００６７】
ここで、本実施の形態では、１つの蓄電モジュール４００に着目した場合、その蓄電モジュール４００には、２つの凸部２１０が上方から当接するように、当該２つの凸部２１０が配置されている。例えば、図４に示すように、蓄電モジュール４００ａには、凸部２１０ａ及び２１０ｃが上方から当接する。また、凸部２１０ｃは、凸部２１０ａが当接している蓄電モジュール４００ａのケース側壁部４１２（例えば図５参照）とは異なる他のケース側壁部４１２に上方から当接している。なお、本実施の形態では、蓄電モジュール４００ａのＸ軸方向プラス側のケース側壁部４１２に上方から凸部２１０ａが当接し、蓄電モジュール４００ａのＹ軸方向プラス側のケース側壁部４１２に上方から凸部２１０ｃが当接している。なお、凸部２１０ａ及び２１０ｃの一方は、第一凸部の一例であり、他方は第二凸部の一例である。
【００６８】
このように、２つの凸部２１０のそれぞれが、１つの蓄電モジュール４００における互いに異なるケース側壁部４１２に上方から当接することで、例えば、蓄電モジュール４００をバランスよく押さえることが可能である。
【００６９】
なお、図４において、凸部２１０ａ及び凸部２１０ｃは、蓄電モジュール４００ａが有する、連続する２つのケース側壁部４１２に上方から当接する位置に配置されている。しかし、凸部２１０ａ及び凸部２１０ｃは、蓄電モジュール４００が有する、互いに対向するケース側壁部４１２のそれぞれに、上方から当接するように配置されてもよい。また、１つの蓄電モジュール４００に上方から当接する凸部２１０の数は３以上であってもよい。また、蓄電モジュール４００が有する１つのケース側壁部４１２に、複数の凸部２１０が上方から当接してもよい。
【００７０】
［４．筐体の折曲片部］
次に、図８〜図１０を用いて、本実施の形態に係る筐体１０が有する折曲片部１２０及び２２０について説明する。図８は、実施の形態に係る筐体１０が有する折曲片部１２０の配置位置の例を示す斜視図である。なお、図８では、複数の折曲片部１２０のそれぞれを区別するために、複数の折曲片部１２０のそれぞれに互いに異なる符号（１２０ａ〜１２０ｈ）を付している。また、複数の折曲片部１２０の位置を明確にするために、本体部１００は、横壁部１０４を含む部分が切り取られ、かつ、前壁部１０５が外された状態で図示されている。
【００７１】
図９は、実施の形態に係る折曲片部１２０と蓄電モジュール４００との当接位置を示す断面図である。具体的には、図９では、図８のＩＸ−ＩＸ線を通るＸＺ平面における筐体１０の断面が簡易的に図示されており、蓄電モジュール４００ａ及び４００ｂそれぞれは側面が図示されている。図１０は、実施の形態に係る折曲片部１２０の形状の一例を示す斜視図である。
【００７２】
図８及び図９において、筐体１０における蓄電モジュール４００の載置面（底壁部１０１）に着目すると、筐体１０は、筐体１０の壁部の一部を切り起こして設けられた折曲片部１２０であって、蓄電モジュール４００の側面に当接する折曲片部１２０を有している。具体的には、筐体１０の本体部１００が有する底壁部１０１には、８つの折曲片部１２０ａ〜１２０ｈが形成されている。
【００７３】
また、筐体１０における蓄電モジュール４００の収容空間の天面（蓋体２００）に着目すると、筐体１０は、筐体１０の壁部の一部を切り起こして設けられた折曲片部２２０であって、蓄電モジュール４００の側面に当接する折曲片部２２０を有している。具体的には、筐体１０の蓋体２００には、４つの折曲片部２２０ａ〜２２０ｄが形成されている。
【００７４】
これら折曲片部１２０ａ〜１２０ｈのそれぞれは、蓄電モジュール４００の下部側面に当接し、折曲片部２２０ａ〜２２０ｄのそれぞれは、蓄電モジュール４００の上部側面に当接する。つまり、これら折曲片部１２０及び２２０のそれぞれは、蓄電モジュール４００を側方から押さえることができる。
【００７５】
すなわち、本実施の形態に係る蓄電装置１では、筐体１０の壁部の一部を切り起こすという簡易な構成で、蓄電モジュール４００を側方から押さえることができる。つまり、折曲片部１２０及び２２０は、筐体１０内における蓄電モジュール４００の横方向（Ｚ軸に直交する方向）の位置を規制することができる。従って、折曲片部１２０及び２２０は、凸部２１０とともに１以上の蓄電モジュール４００の位置規制のための部位として機能することができる。また、本実施の形態では、折曲片部１２０及び２２０は、金属製の筐体１０の一部であるため、比較的に大きな弾性力によって蓄電モジュール４００を押圧することも可能である。
【００７６】
また、本実施の形態では、折曲片部１２０は、折曲片部１２０が当接する蓄電モジュール４００から離れる方向に傾いた傾斜面部１２１（図９、図１０参照）を先端部に有している。そのため、蓄電モジュール４００を筐体１０に収容する際に、蓄電モジュール４００を、傾斜面部１２１に沿わせながら底壁部１０１に載置することができる。つまり、蓄電モジュール４００の筐体１０への収容作業において折曲片部１２０の先端部が蓄電モジュール４００に引っ掛かり難く、かつ、折曲片部１２０に蓄電モジュール４００を当接させた状態で蓄電モジュール４００を底壁部１０１に載置することができる。また、折曲片部２２０も同様に、折曲片部２２０が当接する蓄電モジュール４００から離れる方向に傾いた傾斜面部２２１（図９参照）を先端部に有している。そのため、蓄電モジュール４００が収容された筐体１０の上部開口１００ａを蓋体２００で閉じる際に、折曲片部２２０の先端部が蓄電モジュール４００に引っ掛かり難い。また、折曲片部２２０に蓄電モジュール４００を当接させた状態で蓋体２００を本体部１００に固定することができる。
【００７７】
また、本実施の形態では、折曲片部１２０は、筐体１０の、折曲片部１２０が形成されていない壁部を利用して、１以上の蓄電モジュール４００を挟むように配置されている。例えば図９に示すように、折曲片部１２０ａは、蓄電モジュール４００ａ及び４００ｂを横壁部１０２に向けて押さえることが可能な位置に配置されている。
【００７８】
つまり、折曲片部１２０ａに着目した場合、筐体１０には、折曲片部１２０ａに当接する蓄電モジュール４００ａを含む１以上の蓄電モジュール４００（図９では蓄電モジュール４００ａ及び４００ｂ）が収容されている。また、当該１以上の蓄電モジュール４００のうちの折曲片部１２０ａから最も遠い蓄電モジュール４００ｂの、折曲片部１２０ａから遠い側（Ｘ軸方向プラス側）の側面が、筐体１０の、底壁部１０１と交差する他の壁部（横壁部１０２）に当接している。
【００７９】
この構成によれば、１以上の蓄電モジュール４００を、横壁部１０２の方向に押さえることができるため、例えば、横壁部１０２によって形成される筐体１０の内側面を位置規制に利用できる。つまり、１以上の蓄電モジュール４００の横方向の位置規制の役割の一部を、筐体の内側面（図９では横壁部１０２）に担わせることができるため、当該位置規制のための折曲片部１２０の数を少なくすることができる。このことは、例えば、蓄電装置１の製造効率の向上、または、筐体１０の強度の低下抑制等の観点から有利である。
【００８０】
なお、本実施の形態では、例えば図８及び図９から分かるように、蓄電モジュール４００ａ及び４００ｂを挟んで横壁部１０２とは反対側には、折曲片部１２０ａに加え折曲片部１２０ｂ及び２２０ｄが配置されている。つまり、折曲片部１２０ｂ及び２２０ｄは、折曲片部１２０ａと同じく、横壁部１０２を利用して蓄電モジュール４００ａ及び４００ｂのＸ軸方向の位置規制を行う部位として機能する。
【００８１】
また、図８に示すように、折曲片部１２０ｄ、１２０ｃ、及び２２０ｃは、横壁部１０２を利用して蓄電モジュール４００ｄ及び４００ｃのＸ軸方向の位置規制を行うことができる位置に配置されている。折曲片部１２０ｅ、１２０ｆ、及び２２０ａは、後壁部１０３利用して蓄電モジュール４００ａ及び４００ｄのＹ軸方向の位置規制を行うことができる位置に配置されている。折曲片部１２０ｇ、１２０ｈ、及び２２０ｂは、後壁部１０３利用して蓄電モジュール４００ｂ及び４００ｃのＹ軸方向の位置規制を行うことができる位置に配置されている。
【００８２】
このように、本実施の形態では、筐体１０の底壁部１０１に着目した場合、底壁部１０１は、複数の折曲片部１２０を有し、当該複数の折曲片部１２０のうちの１以上の折曲片部１２０の向き（押さえる方向）と、他の１以上の折曲片部１２０の向き（押さえる方向）とは交差している。これにより、これら複数の折曲片部１２０と、筐体１０の内側面（本実施の形態では横壁部１０２または後壁部１０３）とによる、１以上の蓄電モジュール４００に対する２次元的な位置規制が適切に行われる。
【００８３】
また、本実施の形態では、蓋体２００にも同様に、向きが互いに交差する複数の折曲片部２２０が設けられており、これら複数の折曲片部２２０によっても、１以上の蓄電モジュール４００に対する２次元的な位置規制が適切に行われる。
【００８４】
さらに、複数の折曲片部１２０及び２００によって１以上の蓄電モジュール４００の２次元的な位置規制が適切に行われることで、筐体１０内における、１以上の蓄電モジュール４００の収容空間以外の空間の有効利用を図ることができる。
【００８５】
具体的には、本実施の形態では、複数の折曲片部１２０及び複数の折曲片部２２０のそれぞれは、筐体１０内の空間を、４つの蓄電モジュール４００の収容のための空間と、他の空間とを区切るようにレイアウトされている（例えば図２及び図８参照）。より詳細には、４つの蓄電モジュール４００からなる蓄電モジュール群は、複数の折曲片部１２０及び２２０により位置規制されることで、筐体１０内において、Ｘ軸方向プラス側かつＹ軸方向プラス側の隅に寄せられている。これにより得られたＬ字状の他の空間が、基板（計測基板８１及び主回路基板８２）の収容空間として利用されている。
【００８６】
また、本実施の形態では、図１０に示すように、折曲片部１２０は蓄電モジュール４００と電気的に接続された配線９０を保持する配線保持部１２５を有している。具体的には、本実施の形態では、折曲片部１２０の傾斜面部１２１における貫通孔が形成された部分が配線保持部１２５として機能する。
【００８７】
この構成によれば、折曲片部１２０が有する配線保持部１２５によって配線９０が保持されるため、配線９０を保持するための他の部材が不要である。つまり、蓄電モジュール４００の位置規制のための部材に、配線９０を保持する役割を担わせることができ、これにより、例えば、蓄電装置１の構成の簡素化が図られる。また、配線保持部１２５が配置される傾斜面部１２１は、折曲片部１２０が当接する蓄電モジュール４００から離れる方向に傾斜した部分である。そのため、例えば、折曲片部１２０が蓄電モジュール４００に当接した状態であっても、配線保持部１２５への配線９０の取付は容易である。
【００８８】
なお、配線保持部１２５は、貫通孔により実現されることは必須ではなく、例えば、折曲片部１２０に設けられた切り欠きまたは爪などにより、配線保持部１２５が実現されてもよい。また、図１０では、配線保持部１２５に配線９０を貫通させることで、その配線９０を配線保持部１２５に保持させているが、配線保持部１２５による配線９０の保持の態様はこれに限られない。例えば、配線保持部１２５に結束バンドを貫通させた状態で、その結束バンドによって複数の配線９０を束ねてもよい。これにより、例えば、結束バンド一本分の大きさの貫通孔を有する配線保持部１２５によって、複数の配線９０を保持することが可能である。
【００８９】
また、筐体１０は、折曲片部１２０及び２２０のうちのいずれか一方のみを備えてもよい。つまり、折曲片部は、筐体１０の底面を形成する底壁部１０１、及び、筐体１０の底壁部１０１と対向する上壁部（蓋体２００）の少なくとも一方に設けられている場合、蓄電モジュール４００の横方向の位置規制は可能である。
【００９０】
また、例えば折曲片部１２０または２２０は、２つの蓄電モジュール４００の側面に当接してもよい。例えば、図８に示す蓄電モジュール４００ａ及び４００ｄの境界のＸ軸方向マイナス側に折曲片部１２０を配置することで、折曲片部１２０は、蓄電モジュール４００ａ及び４００ｄの端部をＸ軸方向プラス側（つまり、横壁部１０２の方向）に押さえることができる。
【００９１】
また、例えば、筐体１０の横壁部１０２に折曲片部が形成されてもよい。例えば図８における蓄電モジュール４００ｂのＹ軸方向マイナス側の側面に当接する位置に折曲片部を設ける。これにより、横壁部１０２に設けられた折曲片部による、蓄電モジュール４００ｂ及び４００ｃのＹ軸方向の位置規制が可能となる。
【００９２】
また、１つの蓄電モジュール４００に対して折曲片部１２０を配置する場合、例えば、凸部２１０が上方から当接するケース側壁部４１２とは異なるケース側壁部４１２に折曲片部１２０が側方から当接するように、折曲片部１２０を配置することが好ましい。これにより、例えば、凸部２１０と折曲片部１２０との組による、蓄電モジュール４００の全体的な位置規制が効率よくなされる。つまり、凸部２１０が上方から当接するケース側壁部４１２の下端は、凸部２１０からの押圧力によって底壁部１０１との間の静止摩擦力が向上され、これにより、蓄電モジュール４００の横方向の位置規制の効果も得られる。そのため、凸部２１０が上方から当接してないケース側壁部４１２に当接する位置に折曲片部１２０を配置することで、より効率よく、蓄電モジュール４００の全体的な位置規制がなされる。なお、この凸部２１０と折曲片部１２０との位置関係による効果は、凸部２１０と折曲片部２２０との組み合わせについても適用される。
【００９３】
以上、実施の形態に係る蓄電装置１について説明したが、蓄電装置１は、例えば図４〜図７に示す態様とは異なる態様の凸部を有してもよい。そこで、以下に、蓄電装置１における凸部についての変形例を、上記実施の形態との差分を中心に説明する。
【００９４】
（変形例１）
図１１は、実施の形態の変形例１に係る筐体１０ａが備える凸部２１０の配置位置の一例を示す平面図である。なお、図１１では、複数の蓄電モジュール４００に対する凸部２１０の位置を明確にするために、筐体１０ａの外形を破線で図示し、かつ、筐体１０ａが有する蓋体２００は、凸部２１０のみを図示している。また、凸部２１０は、平面視におけるおおよその形状を、斜線を付した領域で表している。また、蓄電モジュール４００内の太線の点線は、以下で説明するケース側壁部４１２の位置を表しており、かつ、複数のケース側壁部４１２を区別するために、複数のケース側壁部４１２のそれぞれに、互い異なる符号（４１２ａ及び４１２ｂａ等）を付している。これらの事項は、後述する図１２及び図１３にも適用される。
【００９５】
図１１に示すように、本変形例において、凸部２１０は、４つの蓄電モジュール４００に上方から当接する位置に配置されている。つまり、本変形例に係る凸部２１０は、２次元的に並んで配置された３以上の蓄電モジュール４００を一括して押さえることができる位置に配置されている。
【００９６】
具体的には、本変形例に係る蓄電装置１が備える４つの蓄電モジュール４００のうちの、蓄電モジュール４００ａ、４００ｂ及び４００ｃに着目した場合、図１１に示す蓄電装置１は以下のように説明される。
【００９７】
蓄電モジュール４００ａ及び４００ｂは、Ｘ軸方向に並んで配置されており、蓄電モジュール４００ｃは、蓄電モジュール４００ｂとＹ軸方向に並んで配置されている。凸部２１０は、蓄電モジュール４００ａ及び４００ｂにおける互いに隣り合うケース側壁部（図１１ではケース側壁部４１２ａ及び４１２ｂａ）に上方から当接する位置であって、かつ、蓄電モジュール４００ｂ及び４００ｃにおける互いに隣り合うケース側壁部（図１１ではケース側壁部４１２ｂｃ及び４１２ｃ）に上方から当接する位置に配置されている。なお、本変形例において、蓄電モジュール４００ａは、第一蓄電モジュールの一例であり、蓄電モジュール４００ｂは、第二蓄電モジュールの一例であり、蓄電モジュール４００ｃは、第三蓄電モジュールの一例である。また、Ｘ軸方向は第一方向の一例であり、Ｙ軸方向は第一方向と直交する第二方向の一例である。
【００９８】
この構成によれば、筐体１０ａに設けられた１つの凸部２１０で、Ｌ字状に並べられた３つの蓄電モジュール４００を上から押さえることができる。つまり、簡易な構成で、少なくとも３つの蓄電モジュール４００の上下方向の位置規制を行うことができる。また、３つの蓄電モジュール４００に対応して筐体１０ａに設ける凸部の数が１つでよいため、例えば蓄電装置１の製造効率の向上、または、製造コストの抑制が図られる。また、本変形例では、凸部２１０は、蓄電モジュール４００ａ〜４００ｃに加え、蓄電モジュール４００ａ及び４００ｃに隣り合う、蓄電モジュール４００ｄにも上方から当接している。具体的には、平面視において行列状に並べられた蓄電モジュール４００ａ〜４００ｄからなる蓄電モジュール群の中央部に凸部２１０が配置されている。これにより、凸部２１０は、蓄電モジュール４００ａ〜４００ｄそれぞれに対し、上下方向の位置規制のための部位として機能することができる。
【００９９】
なお、筐体１０ａは、例えば、図１２に示すように、さらに１以上の凸部２１０を有してもよい。図１２は、実施の形態の変形例１に係る筐体１０ａが備える複数の凸部２１０の配置位置の一例を示す平面図である。
【０１００】
例えば図１２のように、平面視において行列状に並べられた蓄電モジュール４００ａ〜４００ｄからなる蓄電モジュール群の中央部に凸部２１０を配置し、さらに、蓄電モジュール４００ａ〜４００ｄのそれぞれのケース側壁部４１２に上方から当接する他の凸部２１０を配置してもよい。
【０１０１】
これにより、４つの蓄電モジュール４００ａ〜４００ｄに対し、上下方向の位置規制をバランスよく行うことができる。また、図１２に示す例では、４つの蓄電モジュール４００ａ〜４００ｄのそれぞれは、３つの凸部２１０で押さえられる。そのため、４つの蓄電モジュール４００ａ〜４００ｄのそれぞれにおいても、上下方向の位置規制がバランスよく行われる。
【０１０２】
なお、例えば、平面視における蓄電モジュール群の中央部以外の位置に配置される凸部２１０の数及びレイアウトは、例えば、筐体１０ａに収容される蓄電モジュール４００の数、サイズ、重量、形状、配置レイアウト等に応じて適宜決定されてもよい。
【０１０３】
（変形例２）
図１３は、実施の形態の変形例２に係る筐体１０ｂが備える凸部２１０の配置位置の一例を示す平面図である。本変形例に係る凸部２１０は、２次元的に並んで配置された３つの蓄電モジュール４００を一括して押さえることができる位置に配置されている。この点において、上記変形例１と共通する。
【０１０４】
しかし、本変形例に係る筐体１０ｂには、Ｔ字状に配置された３つの蓄電モジュール４００によって形成される蓄電モジュール４００間のＴ字状の境界を跨ぐ領域に凸部２１０が配置されている点で上記変形例１と異なる。この場合、本変形例に係る蓄電装置１は、例えば以下のように説明される。
【０１０５】
蓄電モジュール４００ｂ及び４００ｃは、Ｙ軸方向に並んで配置されており、蓄電モジュール４００ａは、蓄電モジュール４００ｂ及び４００ｃとＸ軸方向に並んで配置されている。凸部２１０は、蓄電モジュール４００ｂ及び４００ｃにおける互いに隣り合うケース側壁部（図１３ではケース側壁部４１２ｂｃ及び４１２ｃｂ）に上方から当接し、かつ、蓄電モジュール４００ｃ及び４００ａにおける互いに隣り合うケース側壁部（図１３ではケース側壁部４１２ｃａ及び４１２ａ）に当接する位置に配置されている。また、本変形例では、凸部２１０はさらに、蓄電モジュール４００ａ及び４００ｂにおける互いに隣り合うケース側壁部（図１３ではケース側壁部４１２ａ及び４１２ｂａ）にも上方から当接している。
【０１０６】
なお、本変形例において、蓄電モジュール４００ｂは第一蓄電モジュールの一例であり、蓄電モジュール４００ｃは第二蓄電モジュールの一例であり、蓄電モジュール４００ａは第三蓄電モジュールの一例である。また、Ｙ軸方向は第一方向の一例であり、Ｘ軸方向は第一方向と直交する第二方向の一例である。
【０１０７】
この構成によれば、筐体１０ａに設けられた１つの凸部２１０で、Ｔ字状に並べられた３つの蓄電モジュール４００を上から押さえることができる。つまり、簡易な構成で、少なくとも３つの蓄電モジュール４００の上下方向の位置規制を行うことができる。また、３つの蓄電モジュール４００に対応して筐体１０ａに設ける凸部の数が１つでよいため、例えば蓄電装置１の製造効率の向上、または、製造コストの抑制が図られる。
【０１０８】
なお、本変形例に係る筐体１０ｂは、例えば上記変形例１に係る筐体１０ａと同じく、複数の蓄電モジュール４００のそれぞれに当接する複数の凸部２１０をさらに有してもよい。また、これらの複数の凸部２１０の数及びレイアウトは、例えば、筐体１０ｂに収容される蓄電モジュール４００の数、サイズ、重量、形状、配置レイアウト等に応じて適宜決定されてもよい。
【０１０９】
（他の実施の形態）
以上、本発明に係る蓄電装置について、実施の形態及びその変形例に基づいて説明した。しかしながら、本発明は、上記実施の形態及び変形例に限定されるものではない。本発明の趣旨を逸脱しない限り、当業者が思いつく各種変形を上記実施の形態または変形例に施したものも、あるいは、上記説明された複数の構成要素を組み合わせて構築される形態も、本発明の範囲内に含まれる。
【０１１０】
例えば、実施の形態において、凸部２１０の平面視における形状は矩形であるが、凸部２１０の平面視における形状は矩形には限定されない。凸部２１０の平面視における形状は、例えば、矩形以外の多角形、円形、長円形、楕円、及びこれらの組み合わせなど、各種の形状を採用し得る。つまり、凸部２１０の形状、サイズ、及び筐体１０における位置は、凸部２１０が押さえる対象となる蓄電モジュール４００の数、サイズ、形状、または配置レイアウト等に応じて適宜決定されてもよい。
【０１１１】
また、実施の形態において、蓄電モジュール４００の形状は、例えば図２及び図３に示されるように、略直方体の形状であるが、蓄電モジュール４００の形状は略直方体には限定されず、例えば、円柱形、または、直方体以外の角柱形状であってもよい。いずれの場合においても、蓄電モジュール４００は、上下方向に延設されたケース側壁部を有するため、凸部２１０を、ケース側壁部の上方から当接する位置に配置することで、蓄電モジュール４００の上下方向の位置規制が適切になされる。
【０１１２】
また、蓄電装置１が備える複数の蓄電モジュールは、例えば、サイズまたは形状が全ての蓄電モジュールで同一であることは必須ではない。例えば、複数の蓄電モジュールの中に、他よりも背が低い（Ｚ軸方向の幅が短い）蓄電モジュールが存在してもよい。この場合、当該背の低い蓄電モジュールに上方から当接する凸部の高さ（Ｚ軸方向の突出量）を、他の凸部よりも大きくすることで、凸部を当該背の低い蓄電モジュールに当接させことができる。
【０１１３】
また、蓄電装置１が備える蓄電モジュール４００の数は１以上であればよく、例えば、蓄電装置１に求められる蓄電容量または出力電圧等に応じて蓄電装置１が備える蓄電モジュール４００が決定されてもよい。また、蓄電装置１が備えるべき蓄電モジュール４００の数が変更になった場合であっても、凸部２１０等を、蓄電モジュール４００の数に応じた位置に形成した筐体１０を作製することで、筐体１０のサイズを変更せずに新たな蓄電装置１を作製することができる。すなわち、例えば筐体１０のサイズが共通であり、かつ、互いに異なる個数の蓄電モジュール４００を備える複数の蓄電装置１を製造することが比較的に容易である。
【０１１４】
なお、上記で説明された、実施の形態に係る蓄電装置１についての各種の補足事項は、上記変形例１または２に係る蓄電装置１について適用されてもよい。
【産業上の利用可能性】
【０１１５】
本発明は、１以上の蓄電モジュールを備える蓄電装置等に適用できる。
【符号の説明】
【０１１６】
１  蓄電装置
１０、１０ａ、１０ｂ  筐体
４０  蓄電素子
４３  正極端子
４４  負極端子
８１  計測基板
コネクタ  ８１ａ
８２  主回路基板
９０  配線
１００  本体部
１００ａ  上部開口
１０１  底壁部
１０２、１０４  横壁部
１０３  後壁部
１０５  前壁部
１０５ａ  コネクタ孔
外部端子  １０６
通気孔  １０７
１２０、１２０ａ〜１２０ｈ、２２０、２２０ａ〜２２０ｄ  折曲片部
１２１、２２１  傾斜面部
１２５  配線保持部
２００  蓋体
２１０、２１０ａ、２１０ｂ、２１０ｃ、２１０ｄ  凸部
２１１  当接面部
２１２  周壁部
４００、４００ａ、４００ｂ、４００ｃ、４００ｄ  蓄電モジュール
４１０  モジュールケース
４１１  ケース本体
４１２、４１２ａ、４１２ｂａ、４１２ｂｃ、４１２ｃａ、４１２ｃｂ  ケース側壁部
４２０  ケース蓋部
４３０  当接範囲
【図１】
2019083145.tif 000003
【図２】
2019083145.tif 000004
【図３】
2019083145.tif 000005
【図４】
2019083145.tif 000006
【図５】
2019083145.tif 000007
【図６】
2019083145.tif 000008
【図７】
2019083145.tif 000009
【図８】
2019083145.tif 000010
【図９】
2019083145.tif 000011
【図１０】
2019083145.tif 000012
【図１１】
2019083145.tif 000013
【図１２】
2019083145.tif 000014
【図１３】
2019083145.tif 000015